(57)【要約】【課題】本発明は、受信状態においてイメージ妨害を補正することを目的としたものである。【解決手段】そして本発明は、この目的を達成するために、イメージ・リジェクション・ミキサにおいて、混合器４４、混合器４５に対し、受信チャンネルにおいてイメージ妨害を発生させる周波数より予め定められた周波数だけずらした周波数の信号である検査信号を入力する。そして混合器４４、混合器４５で検査信号が周波数変換された変換信号、もしくはこれらの変換信号が合成器５０で合成された合成信号のいずれか一方を検出手段５４で検出し、移相器４６（あるいは移相器４８）または振幅調整手段４９のうちの少なくともいずれかは、この検出手段５４で検知された変換信号同士のレベル差もしくは位相差あるいは前記合成信号のレベルに基づいて制御されるものである。これにより受信中においても補正ができる。【選択図】図１
2008294514.tif 000002
【特許請求の範囲】
【請求項１】
高周波信号が入力される入力端子と、一方の入力には前記高周波信号が入力されると共に、他方の入力には局部発振器の出力が供給される第１と第２の混合器と、第１と第２の混合器の出力が供給される合成器と、この合成器の出力が供給された第１の出力端子と、前記合成器と少なくとも前記第１と第２の混合器のいずれか一方との間に挿入された第１の移相手段と、前記第１と第２の混合器とに供給する信号の位相を互いに９０度異ならせるために、少なくとも前記第１と第２の混合器のいずれか一方と前記局部発振器との間に挿入された第２の移相手段と、前記第１と第２の混合器における一方の入力へ検査信号を供給する検査信号入力端子と、前記合成器のいずれか一方の入力へ供給される信号の振幅を調整するための振幅調整手段とを備え、前記検査信号は受信チャンネルにおいてイメージ妨害を発生させる周波数より予め定められた周波数だけずらした周波数の信号とし、この検査信号が前記第１と第２の混合器によって変換された変換信号、もしくはこれらの変換信号が前記合成器で合成された合成信号のいずれか一方を検知する検出手段を設け、前記第１の移相手段と前記第２の移相手段および前記振幅調整手段のうちの少なくともいずれかひとつは前記検出手段で検知された前記変換信号同士のレベル差もしくは位相差あるいは前記合成信号のレベルに基づいて制御される高周波受信装置。
【請求項２】
入力端子と第１と第２の混合器との間に挿入された同調フィルタと、この同調フィルタから出力された信号のレベルを検出する検波器を設け、検査信号は利得可変増幅器を介して検査信号入力端子へ供給され、前記利得可変増幅器は前記検波器で検出された前記高周波信号のレベルに比例して利得が大きくなる方向へと制御される請求項１に記載の高周波受信装置。
【請求項３】
第１の出力端子から出力された信号のレベルを検出する第１の検波器を設け、検査信号は利得可変増幅器を介して検査信号入力端子へ供給され、前記利得可変増幅器の利得は前記第１の検波器で検出された信号のレベルに比例して変化させる請求項１に記載の高周波受信装置。
【請求項４】
入力端子に入力された高周波信号のレベルを検出する第２の検波器を設け、前記利得可変増幅器の利得は第１と第２の検波器で検出された信号レベルに応じて制御される請求項３に記載の高周波受信装置。
【請求項５】
合成器と第１の出力端子との間に挿入されるとともに、変換信号の通過を阻止する第１のフィルタと、前記合成器と検出手段との間に挿入されるとともに変換信号を通過させる第２のフィルタとを有した請求項１に記載の高周波受信装置。
【請求項６】
高周波信号にはデジタル放送とアナログ放送のチャンネルとを含み、合成器の出力が接続された第３のフィルタと、この第３のフィルタの出力が供給された第２の出力端子と、前記合成器の出力を第１のフィルタと前記第３のフィルタのいずれか一方へ選択的に供給させる切り替え手段とを設け、この切り替え手段は、受信チャンネルが前記アナログ放送であるか前記デジタル放送のチャンネルであるかに応じて切り替えられる請求項１に記載の高周波受信装置。
【請求項７】
検査信号入力端子へ検査信号を供給する検査信号発生器を設け、受信した信号がデジタル放送である場合には検査信号発生器を休止させる請求項１に記載の高周波受信装置。
【請求項８】
検査信号入力端子へ検査信号を供給する検査信号発生器を設け、制御回路は受信した信号がアナログ放送である場合に検査信号発生器を動作させる請求項１に記載の高周波受信装置。
【請求項９】
検査信号入力端子へ検査信号を供給する検査信号発生器を設け、この検査信号発生器には、局部発振器と前記検査信号入力端子との間に挿入され、前記局部発振器の出力が一方の入力に接続された第３の混合器と、この第３の混合器の他方の入力に接続された固定発振器とを含み、前記固定発振器では検査信号の周波数と局部発振器の発振周波数との差の周波数を発振させる請求項１に記載の高周波受信装置。
【請求項１０】
アナログ放送とデジタル放送とのチャンネルとが混在した高周波信号を受信する電子機器において、請求項１に記載の高周波受信装置と、検出手段とチャンネル入力手段との出力が接続されるとともに少なくとも第１の移相手段と第２の移相手段と振幅調整手段のいずれかへ制御信号を出力する制御回路と、第１と第２の出力端子が接続された信号処理回路とを設け、この信号処理回路の出力を前記制御回路へ接続し、前記制御回路は局部発振器の発振周波数と検査信号の周波数とを共に前記チャンネル入力手段から入力されたチャンネルに対応する周波数へと変更するとともに、検出手段の出力信号に応じて少なくとも第１の移相手段と第２の移相手段と振幅調整手段のいずれかへ制御信号を出力してイメージ妨害抑圧量の補正を行い、前記制御回路が少なくとも前記補正が完了したと判定した場合、もしくは前記信号処理回路から受信した放送がデジタル放送である旨の信号が入力された場合のいずれかの場合に、前記補正を停止させる電子機器。
【請求項１１】
制御回路は、補正が完了したと判定すると共に、信号処理回路から受信した放送がデジタル放送である旨の信号が入力された場合に、前記補正を停止させる請求項１０に記載の電子機器。
【発明の詳細な説明】
【技術分野】
【０００１】
本発明は、イメージ・リジェクション・ミキサを用いた高周波受信装置とこれを用いた電子機器に関するものである。
【背景技術】
【０００２】
以下、従来の高周波受信装置について図面を用いて説明する。図３は従来の高周波受信装置１の回路ブロック図である。図３において、従来の高周波受信装置１はいわゆるイメージ・リジェクション・ミキサ形式を用いた受信装置であり、入力端子１ａには、アンテナで受信した約９０ＭＨｚから約９００ＭＨｚまでのアナログ変調された高周波信号が供給される。
【０００３】
合成器３の一方の入力には、入力端子１ａに供給された高周波信号が供給されるとともに、他方の入力には検査信号を発生する検査信号発生器４が接続される。この検査信号発生器４は、受信するチャンネルにおいてイメージ妨害を発生させる周波数の検査信号を発生させる。
【０００４】
この合成器３の出力は混合器５ａの一方の入力と混合器５ｂの一方の入力とに接続される。ここで、混合器５ａ、混合器５ｂの他方の入力には移相器６ａの出力が接続され、移相器６ａから混合器５ａ、混合器５ｂに対し、互いに位相が９０度異なる信号が供給される。なおこの移相器６ａは、制御端子に供給される信号に応じて移相量が変化するものである。この移相器６ａの入力には、局部発振器７で発振した信号が供給される。なお、本実施の形態における混合器５ａ、混合器５ｂは希望チャンネルの高周波信号を５７ＭＨｚの中間周波数（以降ＩＦ周波数という）の信号へと変換する。
【０００５】
利得制御増幅器８（振幅調整手段の一例として用いた）は、混合器５ｂの出力に接続される。この利得制御増幅器８は、利得制御端子に供給される電圧に応じて増幅利得が制御されるものである。そして、混合器５ａの出力には移相器６ｂが接続される。なおこの移相器６ｂは混合器５ａから出力された信号の位相を９０度遅らせるものである。
【０００６】
合成器９の一方の入力には移相器６ｂの出力が供給されるとともに、他方の入力には利得制御増幅器８の出力が供給され、合成器９はこれらの信号を合成して出力する。合成器９の出力信号は、バンドパスフィルタ１０を介して出力端子１ｂより出力される。なおこのバンドパスフィルタ１０の中心周波数はＩＦ周波数（５７ＭＨｚ）と同じであり、通過帯域が６ＭＨｚである。
【０００７】
また、バンドパスフィルタ１０の出力は、検波器１１にも接続されている。制御回路１２は検波器１１と移相器６ａとの間に挿入され、またこの制御回路１２の出力は利得制御増幅器８へも接続されている。
【０００８】
次にこのように構成された従来の高周波受信装置１において、受信チャンネルにおけるイメージ妨害の校正について説明する。この校正は放送を受信しない状態で行われ、イメージ妨害を抑圧するために各回路の設定を行うものである（以下校正モードと言う）。
【０００９】
この校正モードにおいて、検査信号発生器４は受信チャンネルにおいてイメージ妨害となる周波数の検査信号を発生し、混合器５ａと混合器５ｂとへ供給する。するとこの検査信号はＩＦ周波数へ変換される。このとき混合器５ａと混合器５ｂとから出力される検査信号の位相は互いに９０度異なって出力される。そして混合器５ａの出力は移相器６ｂによってさらに位相が９０度変化する。これにより合成器９へ入力される検査信号の変換信号の位相は互いに１８０度異なることとなる。そして合成器９によってこれらの検査信号が合成される。
【００１０】
ここで移相器６ｂと利得制御増幅器８から出力される信号のレベルが同じで、かつ位相がちょうど１８０度異なっていれば、検査信号は完全にキャンセルされることとなる。しかしながら、これら移相器６ｂと利得制御増幅器８との出力信号のレベルが異なったり、互いの信号の位相が１８０度でないような場合、検査信号はキャンセルされなくなる。つまり、このような状態においては、イメージ妨害の改善度合いが悪くなってしまうこととなる。
【００１１】
そこで、この校正モードでは、合成器９で合成された検査信号のレベルを検波器１１で検出し、制御回路１２が移相器６ａの移相量や利得制御増幅器８での利得を調整し、合成器９から出力される検査信号のレベルを小さくするようにするものである。
【００１２】
なお、この出願の発明に関連する先行技術文献情報としては、例えば、特許文献１が知られている。
【特許文献１】特開平１１−２５１９４７号公報
【発明の開示】
【発明が解決しようとする課題】
【００１３】
ここで従来の高周波受信装置では、混合器５ａ、混合器５ｂで変換された後の検査信号の周波数はＩＦ周波数となるので、希望チャンネルを受信状態においてイメージ妨害の校正を行うと、この検査信号自体がイメージ妨害を発生させてしまう。したがって、この校正モードは希望チャンネルを受信しない状態で行われる。
【００１４】
しかしながら従来の高周波受信装置は、希望チャンネルを受信しない状態において補正するので、移相器６ａや移相器６ｂの移相量や、混合器５ａ、混合器５ｂから出力される信号レベルや、利得制御増幅器８の利得の温度変動によって、イメージ信号を十分にキャンセルできず、イメージ妨害の抑圧量が小さくなるという問題を有していた。
【００１５】
そこで本発明は、この問題を解決したもので、受信動作状態においてもイメージ妨害の抑圧量の補正を可能とし、イメージ妨害が発生しにくい高周波受信装置を提供することを目的としたものである。
【課題を解決するための手段】
【００１６】
この目的を達成するために本発明の高周波受信装置における検査信号は、受信チャンネルにおいてイメージ妨害を発生させる周波数より予め定められた周波数だけずらした周波数の信号とし、この検査信号が第１と第２の混合器によって変換された変換信号、もしくはこれらの変換信号が合成器で合成された合成信号のいずれか一方を検知する検出手段を設け、前記第１の移相手段と前記第２の移相手段および振幅調整手段のうちの少なくともいずれかひとつは前記検出手段で検知された前記変換信号同士のレベル差もしくは位相差あるいは前記合成信号のレベルに基づいて制御されるものである。これにより、所期の目的を達成できる。
【発明の効果】
【００１７】
以上のように本発明によれば、高周波信号が入力される入力端子と、一方の入力には前記高周波信号が入力されると共に、他方の入力には局部発振器の出力が供給される第１と第２の混合器と、第１と第２の混合器の出力が供給される合成器と、この合成器の出力が供給された第１の出力端子と、前記合成器と少なくとも前記第１と第２の混合器のいずれか一方との間に挿入された第１の移相手段と、前記第１と第２の混合器とに供給する信号の位相を互いに９０度異ならせるために、少なくとも前記第１と第２の混合器のいずれか一方と前記局部発振器との間に挿入された第２の移相手段と、前記第１と第２の混合器における一方の入力へ検査信号を供給する検査信号入力端子と、前記合成器のいずれか一方の入力へ供給される信号の振幅を調整するための振幅調整手段とを備え、前記検査信号は受信チャンネルにおいてイメージ妨害を発生させる周波数より予め定められた周波数だけずらした周波数の信号とし、この検査信号が前記第１と第２の混合器によって変換された変換信号、もしくはこれらの変換信号が前記合成器で合成された合成信号のいずれか一方を検知する検出手段を設け、前記第１の移相手段と前記第２の移相手段および前記振幅調整手段のうちの少なくともいずれかひとつは前記検出手段で検知された前記変換信号同士のレベル差もしくは位相差あるいは前記合成信号のレベルに基づいて制御される高周波受信装置であり、これにより混合器で変換された後の検査信号の周波数はＩＦ周波数より予め定められた周波数だけずれた周波数となるので、希望チャンネルを受信状態において検査信号を検出することができる。したがって、受信動作状態においてもイメージ抑圧量の補正が可能となり、温度などの変動に対してイメージ妨害が発生し難くでき、安定した受信品質を得ることができる。
【発明を実施するための最良の形態】
【００１８】
（実施の形態１）
以下、本実施の形態における高周波受信装置３１について図面を用いて説明する。図１は、本実施の形態における携帯型受信機３２の回路ブロック図である。図１において携帯型受信機３２は、テレビ放送波（高周波信号の一例として用いた）が入力されるアンテナ（図示せず）と、テレビ放送波が供給される高周波受信装置３１と、この高周波受信装置３１のアナログ放送用出力端子３１ｂが接続されたＡＧＣ回路３３と、このＡＧＣ回路３３の出力と高周波受信装置３１のデジタル放送用出力端子３１ｃとの出力が接続された信号処理回路３４と、この信号処理回路３４の出力が接続されたスピーカ３５および表示装置３６と、高周波受信装置３１に対して受信するチャンネルを指定するチャンネル入力手段３７とを含んでいる。
【００１９】
なお、アンテナには約９０ＭＨｚから９００ＭＨｚまでのテレビ放送波が入力されるものである。そしてそのテレビ放送波には、デジタル変調されたテレビ放送波のチャンネルと、アナログ変調されたテレビ放送波のチャンネルとが混在している。
【００２０】
また、ＡＧＣ回路３３には、アナログ放送用出力端子３１ｂと信号処理回路３４との間に挿入された利得制御増幅器３３ａと、この利得制御増幅器３３ａの出力が供給された利得制御器３３ｂとを含んでいる。なお利得制御増幅器３３ａは利得制御端子に供給される電圧に応じて利得が変化するものであり、この利得制御端子へ利得制御器３３ｂの出力が供給される。ここで、利得制御器３３ｂには、利得制御増幅器３３ａから出力された信号のレベルを検出する検波器を含み、この検波器で検出された信号レベルに応じて利得制御増幅器３３ａの利得を制御する。これによりこのＡＧＣ回路３３では、入力されたテレビ放送波が予め定められたレベルより小さい場合には入力信号が最大利得で増幅され、逆に大きい場合には利得制御増幅器３３ａから出力される出力レベルが一定となるように制御される。
【００２１】
次に、高周波受信装置３１について詳細に説明する。入力端子３１ａに入力されたテレビ放送波は、ＡＧＣ回路４１へ供給される。このＡＧＣ回路４１には、テレビ放送波を増幅する利得制御増幅器４１ａと、この利得制御増幅器４１ａの出力と利得制御増幅器４１ａの利得制御端子との間に挿入された利得制御器４１ｂとを含んでいる。この利得制御器４１ｂには利得制御増幅器４１ａからの出力レベルを検出する検波器を含み、この検出された利得制御増幅器４１ａの出力信号のレベルに応じて利得制御増幅器４１ａの利得が制御される。これによりこのＡＧＣ回路４１では、入力されたテレビ放送波が予め定められたレベルより小さい場合には入力信号が最大利得で増幅され、逆に大きい場合には利得制御増幅器４１ａから出力される出力レベルが一定となるように制御される。
【００２２】
合成器４２の一方の入力端子４２ａにはＡＧＣ回路４１の出力が接続され、他方の入力端子４２ｂ（検査信号入力端子の一例として用いた）には、検査信号発生器４３が接続され、入力端子４２ａから入力されたテレビ放送波と入力端子４２ｂから入力された検査信号とを合成して出力するものである。
【００２３】
合成器４２の出力は混合器４４の一方の入力と、混合器４５の一方の入力とに供給される。そしてこれら混合器４４と混合器４５の他方の入力には、移相器４６（移相手段の一例として用いた）の出力が接続される。そしてこの移相器４６は、局部発振器４７で発振された信号が入力され、混合器４４と混合器４５に対し互いに位相が９０度異なる信号を出力する。これにより混合器４４と混合器４５では、入力されたテレビ放送波を中間周波数信号（以下ＩＦ信号という）へと変換する。なお本実施の形態において、ＩＦ信号の周波数（以下ＩＦ周波数という）は約４ＭＨｚとしている。
【００２４】
移相器４６は、混合器４４側へ供給する信号の位相より９０度遅れた位相を有した信号を混合器４５側へ出力する。なお移相器４６は移相量制御端子に供給される電圧に応じて移相量が変化する。そして、混合器４４の出力は移相器４８（移相手段の一例として用いた）へ供給される。この移相器４８では、混合器４４から出力された信号の位相を９０度送らせる。一方混合器４５の出力は利得制御増幅器４９（振幅調整手段の一例として用いた）へ供給される。この利得制御増幅器４９は、利得制御端子４９ａに供給される電圧に応じて利得が制御されるものである。
【００２５】
本実施の形態における移相器４８はＣＲのポリフェイズフィルタによって構成され、移相量が固定である。従って構成が容易であり、容易に集積回路化することが可能となり、小型の高周波受信装置３１を実現できる。
【００２６】
合成器５０の一方の入力には移相器４８の出力が供給され、他方の入力には利得制御増幅器４９の出力が供給され、移相器４８と利得制御増幅器４９から出力された信号を合成する。そしてこれら混合器４４、混合器４５、移相器４６、局部発振器４７、移相器４８および合成器５０によって、いわゆるイメージ・リジェクション・ミキサが構成されている。
【００２７】
この構成により、混合器４４と混合器４５では、検査信号発生器４３で発生した検査信号と局部発振器４７の出力信号とを混合して周波数変換がなされる。このとき混合器４４と混合器４５とは、検査信号が周波数変換された変換信号を出力する。この変換信号は互いにほぼ９０度の位相差を有している。そして混合器４４から出力された変換信号は、移相器４８によって位相を９０度変化させられる。これによりＩＦ周波数信号同士は同じ位相となり、一方変換信号同士はほぼ１８０度の位相差を持つこととなる。そして合成器５０は、この移相器４８と利得制御増幅器４９とから入力された変換信号を合成し、合成信号を出力する。そしてこのような構成において、移相器４６や移相器４８での移相量が等しく、かつ変換信号同士の振幅が等しい場合、変換信号同士が打ち消し合うので、合成信号のレベルは小さくなる。またこの状態においては、イメージを発生する信号同士もキャンセルされることとなる。
【００２８】
合成器５０の出力は、切り替えスイッチ５１の共通端子に接続される。切り替えスイッチ５１の一方の端子にはローパスフィルタ５２が接続され、他方の端子にはローパスフィルタ５３が接続される。ここで、ローパスフィルタ５２はアナログ放送受信用のフィルタであり、ローパスフィルタ５３に比べてリップルが小さくかつ、良好な群遅延特性を有するフィルタである。一方ローパスフィルタ５３はデジタル放送受信用のフィルタである。なお本実施の形態においてローパスフィルタ５２、ローパスフィルタ５３は、コンデンサと抵抗、トランジスタ等によって構成されたアクティヴフィルタを用いている。
【００２９】
さらに合成器５０の出力は検出手段５４へも供給される。本実施の形態における検出手段５４は、合成器５０の出力信号の中から変換信号のレベルを検出する。そのために本実施の形態において、検出手段５４には、合成器５０の出力が供給されるバンドパスフィルタ５４ａと、このバンドパスフィルタ５４ａの出力が接続された検波器５４ｂとを含んでいる。ここで、バンドパスフィルタ５４ａは、変換信号の周波数のみを通過させる通過帯域を有したものであり、一方ローパスフィルタ５２、ローパスフィルタ５３はＩＦ周波数の信号を通過させるが、変換信号の周波数は抑圧させるものである。
【００３０】
そしてこの検波器５４ｂではバンドパスフィルタ５４ａを通過した変換信号の信号レベルが検出され、制御回路５６へ出力される。また制御回路５６には、利得制御器４１ｂ、利得制御器３３ｂ、信号処理回路３４、チャンネル入力手段３７の出力が接続される。ここで、信号処理回路３４からは、ビット誤り率のデータが出力される。一方制御回路５６の出力は、移相器４６の移相量制御端子と、利得制御増幅器４９の利得制御端子とに接続される。
【００３１】
本実施の形態における検出手段５４は、合成器５０から出力された合成信号を検出したが、これは混合器４４と混合器４５から出力される変換信号同士を比較することによって検出することもできる。この場合、検出手段５４では変換信号同士の位相と、振幅とを比較し、制御回路５６が検出された位相差に応じて移相器４６の移相量を調整し、振幅差に応じて利得制御増幅器４９の利得を調整する。なお、移相器４８と利得制御増幅器４９とから出力された変換信号同士を比較すると、さらに検出精度が良好となり、イメージ妨害をさらに良好に抑圧できる。本実施の形態では、移相器４８は移相量が固定であるが、移相量が可変の移相器を用いれば、この移相器４８の移相量を調整することによって補正することもできる。
【００３２】
ここで検査信号発生器４３の詳細を説明する。検査信号発生器４３には、固定発振器４３ａと、この固定発振器の出力が一方の入力へ接続されると共に、他方の入力には局部発振器４７の出力が接続された混合器４３ｂと、この混合器４３ｂと入力端子４２ｂとの間に設けられた利得制御増幅器４３ｃとを含んでいる。ここで、利得制御増幅器４３ｃの利得制御端子には、制御回路５６の出力が接続されている。
【００３３】
なお検査信号発生器４３と制御回路５６との間には駆動回路５７が設けられ、この駆動回路５７は制御回路５６の制御信号に応じて検査信号発生器４３に供給する電源をオン・オフする。
【００３４】
次に本実施の形態における高周波受信装置３１のイメージ抑圧動作について説明する。イメージ妨害を発生させる信号は、局部発振器４７の周波数に対して、受信チャンネルの周波数の反対側でＩＦ周波数分だけ離れた周波数の信号となる。つまりあるチャンネルを受信時において、イメージ妨害を発生させる信号の周波数ｆｉは、（数１）のように示される。
【００３５】
【数１】
2008294514.tif 000003
【００３６】
ここで、ｆｄは受信チャンネルの周波数であり、ｆoscが局部発振器４７の周波数である。
【００３７】
そして入力信号の中にｆｉの周波数を有する信号がある場合、混合器４４あるいは混合器４５では、これらのｆｄ、ｆｉの周波数の信号が共にＩＦ周波数へ変換されることとなるので、いわゆるイメージ妨害を発生させる原因となる。
【００３８】
そこで、本発明における高周波受信装置３１では、このイメージ妨害を発生させる周波数の信号をキャンセルするために混合器としてイメージ・リジェクション・ミキサを用いている。このイメージ・リジェクション・ミキサでは、混合器４４あるいは混合器４５で変換されたｆｄとｆｉとの周波数は同じであるが、位相が１８０度異なっていることを利用し、移相器４６、移相器４８を用いて、合成器５０の入力されるｆｉ同士の位相が互いに１８０度異なった位相となるようにすることで、イメージ妨害を発生させる信号をキャンセルする。
【００３９】
ところが、このようなイメージ・リジェクション・ミキサにおいて、移相器４８と混合器４５から出力されるｆｉ同士を完全にキャンセルするためには、ｆｉ同士の信号のレベルが同じで、かつ位相がちょうど反転されていることが必要である。しかしながら、移相器４６や移相器４８での移相量の初期ばらつきや温度による移相量の変動、あるいは混合器４４や混合器４５の温度によるレベル変動などによって移相器４８と混合器４５とから出力されるｆｉの信号のレベルに差が生じることや、位相が１８０度からずれることが発生する。
【００４０】
そこで本実施の形態では、混合器４５と合成器５０との間に利得制御増幅器４９を挿入し、この利得制御増幅器４９の利得を調整することによって、混合器４５側から合成器５０へ入力されるｆｉの信号レベルを調整できる。また、移相器４６は移相量制御端子４６ａに供給される電圧に応じて入力された信号の移相量を可変させることができるものを用いる。これによって、混合器４４と混合器４５とへ供給する信号位相を変化させて、移相器４８と混合器４５とから出力されるｆｉの信号の位相差を調整できる。
【００４１】
では次にこの利得制御増幅器４９や移相器４６を制御し、受信中にイメージ妨害を抑圧する動作について詳細に説明する。本実施の形態において検査信号発生器４３は、受信チャンネルにおいてイメージ妨害を発生する周波数から予め定められた周波数だけ離した周波数の信号を出力する。この検査信号の周波数ｆｔは、（数２）のように示される。
【００４２】
【数２】
2008294514.tif 000004
【００４３】
なお、このときｆｔは検査信号発生器４３から出力される信号の周波数であり、Δｆはイメージ妨害を発生する周波数から離す周波数（以下オフセット周波数という）である。
【００４４】
そして検査信号は混合器４４、混合器４５で局部発振器４７の信号と混合される。これにより検査信号は、ＩＦ周波数よりΔｆだけずれた周波数の信号（以下変換信号という）へと変換されることとなる。このとき検査信号は、混合器４４と混合器４５によって、ｆｉの信号と同様に互いに位相が９０度異なった変換信号へと変換される。これは、検査信号の周波数は局部発振器４７の発振周波数に対して、受信希望チャンネルの周波数の反対側にあるために、ｆｉの信号と同様の挙動を示すこととなる。つまり合成器５０に入力されるｆｉの信号に対して、互いにレベルが同一で、かつ位相差が１８０度となりｆｉ同士で完全にキャンセルできる状態の場合には、変換信号もキャンセルされることとなる。従って、合成器５０の出力におけるｆｉの信号と変換信号との間には、相関を有することとなる。
【００４５】
なお、ローパスフィルタ５２とローパスフィルタ５３のカットオフ周波数は、ＩＦ中心周波数よりほぼ３ＭＨｚ高い周波数とし、変換信号の周波数はローパスフィルタ５２、ローパスフィルタ５３のカットオフ周波数より高い周波数としておく。このようにすることにより、ＩＦ周波数の信号は、ローパスフィルタ５２あるいはローパスフィルタ５３を介して出力端子３１ｂ、あるいは３１ｃへ出力される。一方、ＩＦ周波数よりΔｆ離れた周波数の信号である変換検査信号は、ローパスフィルタ５２やローパスフィルタ５３を通過しないので、検査信号による妨害は発生し難くなる。
【００４６】
一方、バンドパスフィルタ５４ａの通過特性は、変換信号の周波数が通過帯域であり、ＩＦ周波数が減衰域となるようにしているので、検波器５４ｂにはＩＦ信号は供給されず、変換信号のみが供給されることとなる。つまり受信状態においても検波器５４ｂでは合成器５０で合成された変換信号のレベルのみを検出することができる。従って制御回路５６は受信状態においても変換信号のレベル変化を検出することができる。従って、受信状態においてもイメージを最良に抑圧量の補正を行うことができる。
【００４７】
そして制御回路５６は、この検波器５４ｂで検出された変換信号のレベルに応じて、利得制御増幅器４９や移相器４６を制御する。そしてこれにより検波器５４ｂで検出される変換信号のレベルが最小となるように位相やレベルの調整を行う。
【００４８】
ここでｆｉの信号と変換信号とに対して、移相器４６での移相量がほぼ同じであるように、Δｆの値を設定することが重要である。これは、ｆｉと変換信号との位相との間の相関性が小さくなると、制御が難しくなるためである。さらに変換信号がローパスフィルタ５２やローパスフィルタ５３において確実に減衰するように、Δｆの値を設定することも重要である。これは、検査信号自身による妨害を発生させ難くするためである。そのために本実施の形態におけるΔｆは６ＭＨｚとしている。
【００４９】
では次に検査信号発生器４３について説明する。検査信号発生器４３は、固定発振器４３ａが一方の入力に接続されると共に、他方の入力には局部発振器４７の入力が接続された混合器４３ｂと、この混合器４３ｂと合成器４２の入力端子４２ｂとの間に挿入された利得制御増幅器４３ｃとを含んでいる。
【００５０】
このような構成とすることで、固定発振器４３ａの発振周波数ｆmixは（数３）に示すように、受信チャンネルによらず一定とできる。従って、回路構成を簡素化することができるので、小型な高周波受信装置３１を実現できる。なお、ここでＩＦ周波数は、ｆ（ｉｆ）としている。
【００５１】
【数３】
2008294514.tif 000005
【００５２】
ここで検査信号はできるだけレベルが大きい方が、合成器５０から出力される合成信号が変化しやすくなるので、検査信号のレベルが大きい方が精度良く検出できることとなる。しかしながら、検査信号のレベルは受信信号のレベルよりも小さくしておくことが重要である。これは、検査信号が受信信号よりも大きなレベルであると、検査信号自体が妨害を発生させ易くなるためである。
【００５３】
ところが受信信号のレベルは、放送局からの距離により変化し、放送局から遠くなればそのレベルは小さくなる。そこで、本実施の形態では、混合器４３ｂと入力端子４２ｂとの間に利得制御増幅器４３ｃを設け、この利得を制御することにより、検査信号のレベルを調整する。そのために本実施の形態では、ＡＧＣ回路３３の利得制御器３３ｂや、ＡＧＣ回路４１の利得制御器４１ｂの出力が制御回路５６へ入力されている。これにより制御回路５６は、利得制御器３３ｂや利得制御器４１ｂに含まれた検波器で検出したレベルに応じ、利得制御増幅器４３ｃの利得を制御する。これにより、検査信号のレベルを受信信号のレベルより小さくなるように制御することができるので、受信信号のレベルによらず検査信号による妨害が発生し難くなる。
【００５４】
具体的には、利得制御器３３ｂで検出された信号レベルが小さい場合には、受信するチャンネルの信号のレベルが小さいと判定し、利得制御増幅器４３ｃの利得が小さくなる方向へと制御する。そして本実施の形態では利得制御器４１ｂによる検出も行っているので、妨害などがあっても精度よく希望信号のレベルを検出することができる。したがって、この検査信号はこの検出されたレベルに対応して適したレベルとなるように制御されるので、この検査信号がフィルタ５２、フィルタ５３を通過し難くなる。
【００５５】
次に本実施の形態における高周波受信装置３１を用いて、放送を受信する場合について説明する。まず操作者が入力キーなどを操作することで、制御回路５６には、チャンネル入力手段３７より受信希望のチャンネル情報が入力される。この情報が入力された制御回路５６は、局部発振器４７に対しチャンネル情報に対応した規定の発振周波数信号を発生させるとともに、駆動回路５７に対して検査信号発生器４３を動作させる旨の信号を出力する。さらに、切り替えスイッチ５１をローパスフィルタ５２側へ接続する。加えて、ＡＧＣ回路３３や信号処理回路３４のアナログ放送の処理回路部分を動作させ、デジタル放送の受信に必要な回路は電源をオフとしておく。このようにすることにより、チャンネル入力手段３７よりチャンネルが入力されたときに、イメージを発生させる信号の抑圧量の補正が行われることとなるので、イメージ妨害が発生し難くできる。
【００５６】
そして例えば、信号処理回路３４では、信号処理回路３４においてビデオ信号が再生されたことを検出した場合に受信信号がアナログ放送であると判定し、スピーカ３５や表示装置３６へ信号を出力する。これにより、アナログ放送である場合には、受信中継続してイメージ妨害を発生させる信号の抑圧量補正が行えるので、温度変化などが発生してもイメージ妨害を抑圧できる。
【００５７】
ここで、チャンネル入力手段３７よりチャンネルが入力されたときに、切り替えスイッチ５１をローパスフィルタ５２側へ接続するが、これはアナログ放送であるかどうかの判定を先に行わせるためである。これは、デジタル放送であるかどうかの判定のためには、復調処理において各種のガードインターバル値やモードの設定を行わなければならず、デジタル放送であることの特定には時間がかかるためである。一方アナログ放送のビデオ信号検波の時間は短時間であるので、チャンネル入力手段３７から入力があった場合には、最初にアナログ放送であるかどうかの判定を行うことで、視聴者の待ち時間を短縮できる。
【００５８】
一方信号処理回路３４が、信号処理回路３４においてビデオ信号を検出しなかった場合、信号処理回路３４は受信信号がデジタル放送であると判定し、その旨の信号を制御回路５６へ出力する。そしてこの場合に制御回路５６は、切り替えスイッチ５１をローパスフィルタ５３側へ接続させるとともに、デジタル放送を処理するための回路をオンとさせる。
【００５９】
これによりデジタル放送に対してもチャンネル切り替え時には、イメージ妨害を発生する信号の抑圧量補正が行われることとなる。従って、デジタル放送に対してもイメージ妨害が発生し難くできる。
【００６０】
ここで、デジタル放送はイメージ妨害に対して強い耐性を有した放送であるので、イメージ・リジェクション・ミキサ形式を用いるだけでもイメージ妨害は発生し難い。従って本実施の形態においてデジタル放送に対しては、チャンネルが切り替えられた時に一度補正を行うだけで、受信中には補正を行わないようにしている。つまり、放送がアナログ放送ではないと判定された場合に、制御回路５６は駆動回路５７に検査信号発生器４３をオフする旨の信号を出力する。加えて、アナログ放送を受信のための処理回路についても電源をオフにさせる。これにより、デジタル放送において、省電力化を図ることが可能となるので、バッテリで長時間駆動させることが可能となる。
【００６１】
なお信号処理回路３４ではデジタル放送である場合には、受信信号のビット誤り率を算出している。そして信号処理回路３４は、ビット誤り率が予め定められた値以上となった場合に、制御回路５６に対してその旨の信号を出力している。
【００６２】
この信号を受け取った制御回路５６は、検査信号発生器４３を駆動させて、イメージ妨害の補正を行う。そして検波器５４ｂで検出された変換信号のレベルが最も小さくなったところで、検査信号発生器４３をオフとする。このようにすることにより、デジタル放送に対しても受信中のイメージ妨害を改善することができる。なお、本実施の形態においては、ビット誤り率が０．０００２より大きくなった場合に、検査信号発生器４３をオンとしている。
【００６３】
本実施の形態では移相器４６の移相量を調整したが、これは移相器４８に変えて移相量を可変可能な移相器を用いてもよい。ここで、移相量やレベルの調整は混合器４４、混合器４５のいずれの混合器で行ってもよい。また移相量やレベルの調整を両方の混合器に対して行ってもよい。この場合、位相やレベルを調整できる範囲を大きくでき、イメージをさらに抑圧できる。
【００６４】
さらに、本実施の形態ではハートレー方式の混合器としたが、これは、ウィーバ方式による混合器の構成としても良い。この場合、移相器４８は使用せず、混合器４４と合成器５０との間および、混合器４５と利得制御増幅器４９との間にも混合器が設けられる。つまり後ろの混合器が本実施の形態における移相器４８の働きをする。そしてこれら後ろの混合器のそれぞれに対しては、局部発振器４７とは異なった周波数を発振する局部発振器から、互いに９０度位相の異なった信号が供給される。これにより、変換信号の周波数がさらに変換されるとともに、位相が９０度変化することとなる。なおこの場合、混合器４４、混合器４５では一旦周波数を下げ、その後の混合器で高い周波数へと変換する。そしてこのような場合には、制御回路５６の出力は後ろの混合器と発振器との間に設けられる移相器へ供給され、制御回路５６からの制御信号によってその移相量が調整されることとなる。
【００６５】
（実施の形態２）
以下に本実施の形態における高周波受信装置７１を用いた据え置き型のテレビ７２（電子機器の一例として用いた）について図面を用いて説明する。図２は、本実施の形態におけるテレビ７２の回路ブロック図である。図２において、図１と同じものは同じ番号を用いて、その説明は簡略化している。
【００６６】
本実施の形態は実施の形態１に対して、制御回路５６にメモリ７３が接続されている点と、チャンネル入力手段３７と制御回路５６との間にＣＰＵ７４が挿入される点である。なおメモリ７３はこのＣＰＵ７４とも接続されている。そしてさらに、制御回路５６は放送がデジタル放送であると判定した場合でも駆動回路５７を駆動させた状態のままとしておく点である。
【００６７】
これは、据え置きのテレビ７２は実施の形態１の携帯型受信機３２とは異なり、一般的に大画面でありその画像には高い品質を要求される。一方、テレビ７２は据え置き型であり、一般に家庭用コンセントより電源が供給されるので、携帯型受信機３２ほど消費電力を小さくする必要性はないためである。このようにすることによって、受信中は常時イメージ妨害の補正が行われることとなるので、デジタル放送を受信する場合においても、温度変化などに対してイメージ妨害の少ないテレビ７２を実現できることとなる。もちろん、アナログ放送に対しては実施の形態１と同様に受信中は常時補正が行われている。
【００６８】
次に本実施の形態においてメモリ７３には、各チャンネルにおける受信条件をデータとして格納される。つまりチャンネル入力手段３７から受信希望チャンネルが入力されると、ＣＰＵ７４がメモリ７３から受信チャンネルに対応した各種設定データを読み込み、制御回路５６へと出力する。このデータを受け取った制御回路５６は、受信チャンネルに適したように各所の制御を行う。
【００６９】
具体的には、利得制御増幅器４３ｃ、移相器４６、局部発振器４７、利得制御増幅器４９、切り替えスイッチ５１である。そしてさらにＡＧＣ回路３３やＡＧＣ回路４１のＡＧＣ電圧設定も行っている。このようにすることにより、チャンネル切り替え時に、テレビ７２を素早く最適な条件に設定することができる。
【００７０】
ここで、メモリ７３への各チャンネルに対するデータの格納は、いわゆるチャンネルサーチモードにおいて行われる。そのためにＣＰＵ７４は、チャンネル入力手段３７よりチャンネルサーチを要求する旨の信号が入力されると、１チャンネルづつチャンネルを変更してチャンネルデータを制御回路５６へ送出する。そして制御回路５６は指定されたチャンネルにおいて最適な受信条件となるように各所を制御し、その場合の設定値をデータとしてメモリ７３へ格納する。そしてこの格納が完了すると、ＣＰＵ７４から次のチャンネルのチャンネルデータが送出されることで、順次受信チャンネルに対応して設定値がデータとしてメモリ７３へ格納されることとなる。
【産業上の利用可能性】
【００７１】
本発明にかかる高周波受信装置は、受信動作中にイメージ抑圧量の補正が可能という効果を有し、テレビ放送を受信する電子機器等に用いると有用である。
【図面の簡単な説明】
【００７２】
【図１】本発明の実施の形態１における高周波受信装置の回路ブロック図
【図２】本発明の実施の形態２における高周波受信装置の回路ブロック図
【図３】従来の高周波受信装置の回路ブロック図
【符号の説明】
【００７３】
３１ａ  入力端子
３１ｂ  アナログ放送用出力端子
４２ｂ  検査信号入力端子
４４  混合器
４５  混合器
４６  移相器
４７  局部発振器
４８  移相器
４９  利得制御増幅器
５０  合成器
５２  ローパスフィルタ
５４  検出手段
５４ａ  バンドパスフィルタ
５４ｂ  検波器
【図１】
2008294514.tif 000006
【図２】
2008294514.tif 000007
【図３】
2008294514.tif 000008